(57)【要約】      （修正有）【課題】取り扱い易く、運搬や保管に便利な水難救助用訓練人形を提供すること。【解決手段】開閉機能を有する注排水孔と、内部に気体と液体との少なくとも一方を密閉保持することのできる格納部４０３〜４０７とを備え、前記格納部が、胴体部４２０にそれぞれ接続された頭部４３０、右腕部４４０、左腕部４５０、右足部４６０および左足部４７０を含み、前記頭部が、前記胴体部の上部中央部に接続され、前記右腕部が、前記胴体部の右側上部に接続され、前記左腕部が、前記胴体部の左側上部に接続され、前記右足部が、前記胴体部の右側下部に接続され、前記左足部が、前記胴体部の左側下部に接続され、前記格納部が、可撓性不透水シートからなる水難救助用訓練人形。【選択図】図１７
2015006860.tif 000002
【特許請求の範囲】
【請求項１】
開閉機能を有する注排水孔と、
内部に気体と液体との少なくとも一方を密閉保持することのできる格納部とを備え、
前記格納部が、胴体部にそれぞれ接続された頭部、右腕部、左腕部、右足部および左足部を含み、
前記頭部が、前記胴体部の上部中央部に接続され、
前記右腕部が、前記胴体部の右側上部に接続され、
前記左腕部が、前記胴体部の左側上部に接続され、
前記右足部が、前記胴体部の右側下部に接続され、
前記左足部が、前記胴体部の左側下部に接続され、
前記格納部が、可撓性不透水シートからなることを特徴とする、水難救助用訓練人形。
【請求項２】
前記胴体部、前記頭部、前記右腕部、前記左腕部、前記右足部および前記左足部からなる群より選ばれる少なくとも一つが、独立格納部を形成し、
前記独立格納部の内部は、気体および液体の少なくとも一方が移動可能であり、
前記独立格納部の全てが、前記開閉機能を有する注排水孔を備える、請求項１に記載の水難救助用訓練人形。
【請求項３】
前記胴体部、前記頭部、前記右腕部、前記左腕部、前記右足部および前記左足部からなる群より選ばれる少なくとも一つが、二以上の独立格納部を形成し、
それぞれ全ての前記独立格納部が、少なくとも他の一つの前記独立格納部と着脱可能に連結されている、請求項２に記載の水難救助用訓練人形。
【請求項４】
前記胴体部、前記頭部、前記右腕部、前記左腕部、前記右足部および前記左足部が、それぞれ独立格納部を形成し、
前記独立格納部のそれぞれ全てが、前記開閉機能を有する注排水孔を備え、
前記胴体部を除く前記独立格納部のそれぞれ全てが、前記胴体部と着脱可能に連結されている、請求項３に記載の水難救助用訓練人形。
【請求項５】
前記格納部に液体および気体の少なくとも一方を備えた、請求項１〜４のいずれかに記載の水難救助用訓練人形。
【請求項６】
請求項５に記載された水難救助用訓練人形を水中で使用する方法であって、前記水難救助用訓練人形の頭部下部面を水面上に維持するステップを含むことを特徴とする、水難救助用訓練人形の使用方法。
【請求項７】
請求項５に記載された水難救助用訓練人形を、水中から引き上げ可能な場所に移動させるステップを含む、請求項６に記載された水難救助用訓練人形の使用方法。
【請求項８】
請求項５に記載された水難救助用訓練人形を、水中から引き上げるステップを含む、、請求項６または７に記載された水難救助用訓練人形の使用方法。
【発明の詳細な説明】
【技術分野】
【０００１】
本発明は、水難救助用訓練人形に関する。
【背景技術】
【０００２】
海やプールのレジャーによる事故、海中への転落事故、船舶事故等が生じた際には被救助者を速やかに事故現場から救出する必要がある。
しかし海やプール等の水中の事故は、一般の陸上の事故とは異なり常に危険が伴う。
例えば、水中で溺れた被救助者はパニック状態に陥る場合が多い。パニック状態に陥った被救助者は、被救助者の救助を試みる救助者にしがみつこうとするため、救助者は場合によっては自らも溺れる危険がある。また水中では陸上と異なり自由に体を動かすことが容易ではないから、水難救助の専門家といえども油断すれば危険な状態に陥ることもある。
【０００３】
実際の水難救助を想定して水難救助の専門家は日々訓練を重ねている。この訓練は必須の作業であり、訓練により水難救助の技術が向上するに従って、被救助者の救出率が向上することに加え、救助者自らが二次災害に巻き込まれることを防止することができる。
【０００４】
実際の水難事故を想定した訓練に使用される人形として、水難救助用訓練人形が市販されている。市販されている水難救助用訓練人形はいわゆるマネキン人形の形態で提供されていて、表面をシリコーン樹脂等で覆うことにより、より人間に近い感触が得られるように工夫されている。
【０００５】
しかし市販のマネキン型の水難救助用訓練人形は高価格であることから入手が容易ではなく、また市販のマネキン型の水難救助用訓練人形を訓練中に壊さないようにその取り扱いには注意が必要であった。さらには運搬や保管も容易ではなく、取り扱いが難しい問題があった。
【０００６】
一方、水中の訓練用に使用する人形として、新生児、幼児あるいは成人の沐浴を訓練するための看護実習用人形が提案されている（特許文献１）。
この看護実習用人形はシリコーンゴムを液状化した原料を用いてスラッシュモールドにより一体的に成形されてなる。
【０００７】
前記看護実習用人形はシリコーンゴムにより成形されているため、その触感は生体のものに極めて類似しているため、訓練の際に優れた臨場感を再現できるとされる。
またスラッシュモールドにより一体成形されているため、沐浴の訓練時に前記看護実習用人形の内部に水が入ることを防止できるとされる。
【０００８】
しかしスラッシュモールドにより一体的に成形されてなる看護実習用人形も、いわゆるマネキン型人形であり取り扱いには注意が必要となる。さらには高価であり、運搬や保管も容易ではなく、取り扱いが難しい問題が依然として残る。
【０００９】
さらに海難事故を想定して使用される人体ダミーとして、内部に位置決定システムを備えた人体ダミーが提案されている（特許文献２）。
この人体ダミーは、内部の位置決定システムに加えて、内部に空洞を有する小室を備えている。そしてこの小室は人体ダミーの胸部に対応し、開放弁によって調節可能な水の取り入れ口を有している。また前記人体ダミーの内部には小型の圧縮ガスタンクに接続された空気袋が設置されている。
【００１０】
かかる人体ダミーは、位置情報を外部に知らせることができ、外部からの無線操作により前記人体ダミーの小室内部の水量を調整することができる構造となっている。
この人体ダミーを、船舶等の船員に対しできる限り模した状態のまま船舶等に設置する。この人体ダミーを船舶等に設置しておけば、万が一、船舶等が遭難、沈没した際には、信号を発する人体ダミーを手がかりに、前記船員が存在する可能性の高い場所を重点的に捜索することが可能となる。
【００１１】
また前記人体ダミーの空気袋に圧縮ガスタンクから空気等を導入すれば前記人体ダミーが浮上するから、前記人体ダミーの内部に救助具を設置しておけば、被救助者はこの人体ダミーの内部から救助具を取り出すことも可能となる。
【００１２】
しかし、前記人体ダミーは水難救助隊に自己の位置を知らせる機能と、被救助者に救難具等を提供する機能は有するものの、前記人体ダミーを水難救助用訓練の用途に使用することについては一切開示がない。
【００１３】
またＧＰＳ等の位置決定システムを内蔵し、圧縮ガスタンクを含む給排水システムを備える前記人体ダミーは重量が大きく、運搬や保管も容易ではなく、取り扱いが難しい問題がある点は、先に説明した先行技術の場合と同様である。
【先行技術文献】
【特許文献】
【００１４】
【特許文献１】実開平７−３４４５８号公報
【特許文献２】特表２０１２−５１９１００号公報
【発明の概要】
【発明が解決しようとする課題】
【００１５】
本発明の目的は、取り扱い易く、運搬や保管に便利な水難救助用訓練人形を提供することにある。
【課題を解決するための手段】
【００１６】
上記課題を解決すべく本発明者が鋭意検討した結果、開閉機能を有する注排水孔と、内部に気体と液体との少なくとも一方を密閉保持することのできる格納部とを備えた、可撓性不透水シートからなる水難救助用訓練人形が、本発明の目的に適うことを見出し、本発明を完成するに至った。
【００１７】
すなわち本発明は、
［１］開閉機能を有する注排水孔と、
内部に気体と液体との少なくとも一方を密閉保持することのできる格納部とを備え、
前記格納部が、胴体部にそれぞれ接続された頭部、右腕部、左腕部、右足部および左足部を含み、
前記頭部が、前記胴体部の上部中央部に接続され、
前記右腕部が、前記胴体部の右側上部に接続され、
前記左腕部が、前記胴体部の左側上部に接続され、
前記右足部が、前記胴体部の右側下部に接続され、
前記左足部が、前記胴体部の左側下部に接続され、
前記格納部が、可撓性不透水シートからなる水難救助用訓練人形を提供するものである。
【００１８】
また本発明の一つは、
［２］前記胴体部、前記頭部、前記右腕部、前記左腕部、前記右足部および前記左足部からなる群より選ばれる少なくとも一つが、独立格納部を形成し、
前記独立格納部の内部は、気体および液体の少なくとも一方が移動可能であり、
前記独立格納部の全てが、前記開閉機能を有する注排水孔を備える、上記［１］に記載の水難救助用訓練人形を提供するものである。
【００１９】
また本発明の一つは、
［３］前記胴体部、前記頭部、前記右腕部、前記左腕部、前記右足部および前記左足部からなる群より選ばれる少なくとも一つが、二以上の独立格納部を形成し、
それぞれ全ての前記独立格納部が、少なくとも他の一つの前記独立格納部と着脱可能に連結されている、上記［２］に記載の水難救助用訓練人形を提供するものである。
【００２０】
また本発明の一つは、
［４］前記胴体部、前記頭部、前記右腕部、前記左腕部、前記右足部および前記左足部が、それぞれ独立格納部を形成し、
前記独立格納部のそれぞれ全てが、前記開閉機能を有する注排水孔を備え、
前記胴体部を除く前記独立格納部のそれぞれ全てが、前記胴体部と着脱可能に連結されている、上記［３］に記載の水難救助用訓練人形を提供するものである。
【００２１】
また本発明の一つは、
［５］前記格納部に液体および気体の少なくとも一方を備えた、上記［１］〜［４］のいずれかに記載の水難救助用訓練人形を提供するものである。
【００２２】
また本発明は、
［６］上記［５］に記載された水難救助用訓練人形を水中で使用する方法であって、前記水難救助用訓練人形の頭部下部面を水面上に維持するステップを含むことを特徴とする、前記水難救助用訓練人形の使用方法を提供するものである。
【００２３】
また本発明の一つは、
［７］上記［５］に記載された水難救助用訓練人形を、水中から引き上げ可能な場所に移動させるステップを含む、上記［６］に記載の前記水難救助用訓練人形の使用方法を提供するものである。
【００２４】
また本発明は、
［８］上記［５］に記載された水難救助用訓練人形を、水中から引き上げるステップを含む、上記［６］または［７］に記載の前記水難救助用訓練人形の使用方法を提供するものである。
【発明の効果】
【００２５】
従来の水難救助用訓練人形は、いわゆるマネキン型人形であり取り扱いが難しい場合があった。また重量のあるものはさらに取り扱いが難しくなる場合があった。
これに対し、本発明に係る水難救助用訓練人形は、開閉機能を有する注排水孔を備えた可撓性不透水シートからなることから、重量が小さく取り扱いが容易である。
【００２６】
また訓練に使用しない時は、本発明に係る水難救助用訓練人形の内部の空気や水を全て排出した後に注排水孔を閉じた状態にしておけば、小さく折りたたむことが可能であり、体積を小さく保つことが可能であるから、運搬や保管が容易である。
【００２７】
また本発明に係る水難救助用訓練人形の独立格納部に入れる液体の量および気体の量を調整することにより、前記水難救助用訓練人形が意識のない実在の人間の様に水中で扱うことができるから、臨場感のある水難救助訓練を実施することができる。
【００２８】
また本発明に係る水難救助用訓練人形の独立格納部に入れる液体の量および気体の量を調整することにより、前記水難救助用訓練人形を水没状態に保つことができるし、逆に水面に浮上した状態を保つことができる。
【００２９】
また独立格納部に入れる液体の量および気体の量を調整することにより、両足部のみが水面に浮上し、頭部、胴体部および両腕部が水面下に没した状態、両手のみが水面に浮上し、頭部、胴体部および両足部が水面下に没した状態など、水中で前記水難救助用訓練人形を多様な状態に保つことができるから、臨場感のある水難救助訓練を実施することができる。
【００３０】
また、胴体部と、頭部等とを着脱可能に連結することにより、それぞれの独立格納部の内部に液体や気体を入れることができるから、短時間で水難救助訓練を開始することができる。またそれぞれの独立格納部の内部から液体や気体を排出することができるから、水難救助訓練終了後は短時間で本発明に係る水難救助用訓練人形を小さく折りたたんでそれぞれの独立格納部毎に収納することが可能である。
【００３１】
さらに本発明に係る水難救助用訓練人形は簡潔に構成されていることから単位時間当たりの生産性に優れる。このため比較的低価格により水難救助訓練に必要な現場に本発明に係る水難救助用訓練人形を供給することができる。
【図面の簡単な説明】
【００３２】
【図１】図１は、実施例１に係る水難救助用訓練人形を形成する可撓性不透水シートを示した模式正面図である。
【図２】図２は、二枚の可撓性不透水シートを組み合わせて実施例１に係る水難救助用訓練人形を形成する工程を説明するための模式斜視図である。
【図３】図３は、二枚の可撓性不透水シートを組み合わせてなる実施例１に係る水難救助用訓練人形を示した模式正面図である。
【図４】図４は、注排水孔１１０と密閉栓１２０との関係を説明するための模式部分断面図である。
【図５】図５は、胴体部２０の製造方法を説明するための模式斜視図である。
【図６】図６は、胴体部２０の製造方法を説明するための模式斜視図である。
【図７】図７は、実施例２に使用する頭部３０を説明するための模式斜視図である。
【図８】図８は、実施例２に使用する頭部接続材８０を説明するための模式斜視図である。
【図９】図９は、前記頭部接続材８０を前記頭部３０に接続した状態を説明するための模式図である。
【図１０】図１０は、実施例２に使用する右腕部４０を説明するための模式斜視図である。
【図１１】図１１は、実施例２に係る水難救助用訓練人形２００を示した模式正面図である。
【図１２】図１２は、実施例３に係る水難救助用訓練人形を説明するための模式正面図である。
【図１３】図１３は、実施例４に使用する胴体部４２０の模式分解斜視図である。
【図１４】図１４は、実施例４に使用する胴体部４２０の模式斜視図である。
【図１５】図１５は、実施例４に使用する頭部４３０の模式斜視図である。
【図１６】図１６は、実施例４に使用する右腕部４４０の模式図である。
【図１７】図１７は、実施例４に係る水難救助用訓練人形を説明するための模式正面図である。
【図１８】図１８は、水中における前記水難救助用訓練人形４００の実施形態を説明するための模式図である。
【発明を実施するための形態】
【００３３】
以下に図面を参照しつつ、実施例に基づき本発明について詳細に説明する。なお本発明はこれらの実施例により何ら限定されるものではない。
【実施例１】
【００３４】
［水難救助用訓練人形の構成について］
図１は、実施例１に係る水難救助用訓練人形を形成する可撓性不透水シートを示した模式正面図である。図２は、二枚の可撓性不透水シートを組み合わせて実施例１に係る水難救助用訓練人形を形成する工程を説明するための模式斜視図である。図３は、二枚の可撓性不透水シートを組み合わせてなる実施例１に係る水難救助用訓練人形を示した模式正面図である。
【００３５】
本発明に使用する可撓性不透水シートは、自由に変形することができ、内部に水を保持することのできる素材であれば特に限定はない。この様な素材としては、合成樹脂等が挙げられる。
【００３６】
前記合成樹脂としては、例えば、ポリエチレン、ポリプロピレン等のポリオレフィン類、ポリ塩化ビニル等のポリ塩素化樹脂、ポリエチレンテレフタレート、ポリブチレンテレフタレート等のポリエステル類、ポリウレタン類等を挙げることができる。
前記合成樹脂は、強度を高めるために、有機繊維、無機繊維等を使用した織布、不織布等と積層したものを使用することができる。
【００３７】
図１に示されるように、可撓性不透水シート１を人型に切り抜く。人型に切り抜かれた前記可撓性不透水シート１ａは、胴体部２、頭部３、右腕部４、左腕部５、右足部６および左足部７を有する。
実施例１の場合では、前記胴体部２、頭部３、右腕部４、左腕部５、右足部６および左足部７は一枚の可撓性不透水シート１ａにより形成されているが、二以上の可撓性不透水シート１ａを隙間なく接合して、一枚の可撓性不透水シート１ａとすることもできる。
【００３８】
次に図２および図３に示されるように、人型に切り抜かれた二枚の可撓性不透水シート１ａ，１ａの外周端面１０，１０同士を接合して、実施例１に係る水難救助用訓練人形１００を得ることができる。
前記二枚の可撓性不透水シート１ａ，１ａの外周端面１０，１０同士を接合する方法としては、例えば、加熱された金型により圧着して前記二枚の可撓性不透水シート１ａ，１ａの外周端面１０，１０同士を熱融着する方法、接着剤により接着する方法等が挙げられる。
前記二枚の可撓性不透水シート１ａ，１ａの外周端面１０，１０同士の接合面が分離することを防止するために、前記接合面を繊維糸等により縫合してもよいし、ステープラ等の固定ピン等を用いて固定してもよい。
前記二枚の可撓性不透水シート１ａ，１ａの外周端面１０，１０同士を接合する方法は、一種もしくは二種以上を実施することができる。
【００３９】
前記二枚の可撓性不透水シート１，１の外周端面１０，１０同士を接合することにより、実施例１に係る水難救助用訓練人形１００の内部に、図３で破線により示される内側の部分に格納部１０１を形成することができる。
前記格納部１０１は、自由に変形することができ、内部に水を保持することのできる素材により形成されている。
実施例１の場合は、前記水難救助用訓練人形１００の内部全体が一つの独立格納部を形成している。
【００４０】
また図３に示されるように、実施例１に係る水難救助用訓練人形１００は、注排水孔１１０を備えている。
図３の場合は前記注排水孔１１０は、前記格納部１０１に対して一つが設置されているが、前記注排水孔１１０は、前記格納部１０１に対して二以上を設置することもできる。
【００４１】
図４は、注排水孔１１０と密閉栓１２０との関係を説明するための模式部分断面図である。
図４に示されるように、前記注排水孔１１０は円形孔の設置された固定板１１２に筒部１１３が接続された構造となっている。
前記固定板１１２は、可撓性不透水シート１の内側に接着剤により接着されている。また前記固定板１１２により前記可撓性不透水シート１ａが破損することを防止するために、前記固定板１１２および可撓性不透水シート１ａを覆うように、可撓性不透水シート片１ｂが接着剤により接着されている。
【００４２】
また前記注排水孔１１０には開閉可能な密閉栓１２０が設置されている。前記密閉栓１２０は一方の端部が密閉された筒状構造を有していて、その内側にねじ溝１２１が設置されている。また前記注排水孔１１０を形成する筒部１１３の外側にはねじ山１１１が設置されている。
また前記密閉栓１２０の内部にはＯ字状のリング材１２２が設置されている。
前記密閉栓１２０を前記注排水孔１１０に対して回転させながら設置することにより、前記注排水孔１１０のねじ山１１１と前記密閉栓１２０のねじ溝１２１が互いに噛み合い、前記注排水孔１１０と前記密閉栓１２０とを互いに開閉することができる。
前記密閉栓１２０を前記注排水孔１１０に対してさらに回転させると、前記注排水孔１１０の筒部１１３の先端１１４が、前記密閉栓１２０のＯ字状のリング材１２２に接触する。
この様にして、前記二枚の可撓性不透水シート１ａ，１ａ間に形成される格納部に、液体と気体との少なくとも一方を密閉保持することができる。
【００４３】
本発明に使用する気体は通常は空気である。また本発明に使用する液体は、通常海、プール、湖、川等の水である。
【００４４】
前記注排水孔１１０と前記密閉栓１２０とは合成樹脂により形成されている。前記合成樹脂としては、先に説明したものと同様のものを使用することができる。
【００４５】
また前記注排水孔１１０と前記密閉栓１２０とを連結材１３０により連結することにより、水難救助訓練中に前記密閉栓１２０が紛失することを防止することができる。
前記連結材１３０としては、例えば、合成樹脂繊維製の紐、金属線、金属チェーン等を使用することができる。
【００４６】
［水難救助用訓練人形の使用方法について］
実施例１に係る水難救助用訓練人形１００の格納部へ前記注排水孔１１０から水を注入する。水の注水が完了したら、前記注排水孔１１０を前記密閉栓１２０により密閉する。
前記格納部への水の注入量と、空気の注入料とを調整することにより、水中における前記水難救助用訓練人形１００の浮遊具合を調整することができる。
前記格納部への水の注入量を多くすれば体重の大きい被救助者を再現することができ、逆に前記格納部への水の注入量を少なくすれば体重の小さい被救助者を再現することができる。
また前記格納部への空気の注入量を多くすれば良く浮かぶ被救助者を再現することができ、逆に前記格納部への空気の注入量を少なくすれば早く沈む被救助者を再現することができる。
【００４７】
前記水難救助用訓練人形１００の格納部に適量の空気と水とを密閉保持した状態で、水中で前記水難救助用訓練人形１００の頭部３の下部面を救助者が水面上に維持することにより、水難救助訓練を実施することができる。
また救助者は、水中で前記水難救助用訓練人形１００の頭部３の下部面を水面上に維持したまま、前記水難救助用訓練人形１００を水中から引き上げ可能な岸、堤防、プールサイド、船舶等のある場所に移動させる。
次に救助者が前記水難救助用訓練人形１００を水中から引き上げることにより、水難救助訓練を実施することができる。
【００４８】
前記水難救助用訓練人形１００は前記可撓性不透水シート１を使用していて、内部に水を密閉充填するか、または水と空気とを密閉充填することにより、水中で意識不明の被救助者と非常に近い使用感触を得ることができる。
このため前記水難救助用訓練人形１００を使用して、より実際の水難救助場面に近い、臨場感のある水難救助訓練を実施することができる。
【００４９】
前記水難救助用訓練人形１００を使用した水難救助訓練が終了した後は、前記水難救助用訓練人形１００の格納部１０１から前記注排水孔１１０を通して水を排出する。
前記格納部の水を全て排出した後は、前記水難救助用訓練人形１００を折りたたむことができる。また前記水難救助用訓練人形１００の総重量を小さく保つことができる。
このように、実施例１に係る水難救助用訓練人形１００は水難救助訓練の使用に適している他、運搬や保管を簡単に行うことができるから、取り扱い易い。また構成が簡潔であることから製造コストを低く抑えることができる上に、故障、破損等が生じ難く、長い期間にわたって水難救助訓練に使用することが可能である。
【実施例２】
【００５０】
［水難救助用訓練人形の構成について］
実施例２に係る水難救助用訓練人形２００は、実施例１に係る水難救助用訓練人形１００の変形例である。
先の実施例１に係る水難救助用訓練人形１００の場合は、人型に切り抜かれた二枚の可撓性不透水シート１ａ，１ａの外周端面１０，１０同士を接合して前記水難救助用訓練人形１００を作製した。
これに対し、実施例２に係る水難救助用訓練人形２００の場合は、可撓性不透水シート１を円筒状に加工して、前記円筒状の開口部を接続して作製する点が異なる。それ以外は、実施例１の場合と同様である。
【００５１】
図５〜図６は、胴体部２０の製造方法を説明するための模式斜視図である。
円柱状の金属に溶融した可撓性不透水材料に含浸させ、冷却後前記円柱状の金属から前記可撓性不透水材料の成形物を引き抜くことにより、可撓性不透水からなる有底円筒を得ることができる。前記有底円筒の底の部分を切断して除去することにより、図５に示す両端が開放された筒状の可撓性不透水シート２１を得ることができる。
前記筒状の可撓性不透水シート２１は、溶融した可撓性不透水材料の内部に空気を送り込みながら連続的に押出成形を実施し、得られた筒状成形物を押出方向に対して垂直に切断しても得ることができる。
また長方形の可撓性不透水シートを円筒状に丸めて、長方形の可撓性不透水シートの両端を接合することによっても前記筒状の可撓性不透水シート２１を得ることができる。
【００５２】
図５に示すように、前記筒状の可撓性不透水シート２１に開口部２２を設ける。
前記筒状の可撓性不透水シート２１の内側から実施例１に使用した前記注排水孔１１０の筒部１１３を外部に突き出させ、前記注排水孔１１０の固定板１１２を前記筒状の可撓性不透水シート２１の内側に接着剤で接着する。
さらに前記固定板１１２を可撓性不透水シート片１ｂにより接着剤で固定することにより、先に説明した図４と同様の構造の前記注排水孔１１０を、前記筒状の可撓性不透水シート２１に設置することができる。
【００５３】
次に前記筒状の可撓性不透水シート２１の両端の開放部２３，２３を接合した後、図６に示すように、両端を接合した筒状の可撓性不透水シート２４の上部中央部、上部左右部、下部左右部を切断することにより、胴体部２０を作製することができる。
前記胴体部２０には、頭部３０と接続するための上部中央孔２５、右腕部４０と接続するための上部右孔２６、左腕部５０と接続するための上部左孔２７、右足部６０と接続するための下部右孔２８および左足部７０と接続するための下部左孔２９が形成されている。
【００５４】
図７は、実施例２に使用する頭部３０を説明するための模式斜視図である。
前記頭部３０は、前記可撓性不透水シート１からなる複数の曲面部３１を、短冊状の可撓性不透水シートテープ１ｃにより接着剤を用いて接着することにより得ることができる。
前記可撓性不透水シート１からなる曲面部３１を成形するためには、例えば、加熱された金属の曲面に、前記可撓性不透水シート１を接触させる方法等を挙げることができる。
また前記頭部３０には、前記胴体部２０と接続するための開口部３２が形成されている。
【００５５】
図８は、実施例２に使用する頭部接続材８０を説明するための模式斜視図である。
前記頭部接続材８０は、筒状の可撓性不透水シート８１の両端開放部８２，８２に、前記筒状の可撓性不透水シート８１の長手方向に間隔をおいて切断部８３を設ける。互いに隣り合う切断部８３，８３により囲まれる接続部８４を外側に開くことにより、図８に示す頭部接続材８０を得ることができる。
【００５６】
図９は、前記頭部接続材８０を前記頭部３０に接続した状態を説明するための模式図である。
図９に示されるように、前記頭部接続材８０の一端を前記頭部３０の開口部３２に挿入する。続いて各接続部８４を、前記頭部３０の内側に接着剤を用いて接着する。
【００５７】
次に前記頭部接続材８０の反対側の一端を前記胴体部２０の上部中央孔２５の内部に挿入する。
続いて各接続部８４を、前記胴体部２０の内側に接着剤を用いて接着する。
次に短冊状の可撓性不透水シートテープ１ｃを、前記胴体部２０と前記頭部接続材８０ならびに前記頭部３０と前記頭部接続材８０との境界に接着剤により接着することにより、前記胴体部２０に対して頭部３０を接合することができる。
【００５８】
図１０は、実施例２に使用する右腕部４０を説明するための模式斜視図である。
可撓性不透水シート１からなる有底円筒４１の上端開放部４２に、前記有底円筒４１の長手方向に間隔をおいて切断部４３を設ける。互いに隣り合う切断部４３，４３により囲まれる接続部４４を外側に開くことにより、図７に示す右腕部４０を得ることができる。
次に前記可撓性不透水シート１からなる有底円筒４１の上端開放部４２を前記胴体部２０の上部右孔２６の内部に挿入する。
続いて各接続部４４を、前記胴体部２０の内側に接着剤を用いて接着する。
次に短冊状の可撓性不透水シートテープ１ｃを、前記胴体部２０と前記右腕部４０との境界に接着剤により接着することにより、図１１に示すように前記胴体部２０に対して右腕部４０を接合することができる。
実施例２の場合では前記胴体部２０と右腕部４０との接合に接着剤を使用したが、熱により融着させる方法等によっても前記胴体部２０と右腕部４０とを接合することができる。
【００５９】
前記右腕部４０の場合と全く同様の操作により、前記胴体部２０に対して、前記左腕部５０、前記右足部６０および前記左足部７０を接合することができる。
図１１は、実施例２に係る水難救助用訓練人形２００を示した模式正面図である。
図１１に示される通り、実施例２に係る水難救助用訓練人形２００は立体的形状を組み合わせて形成されていることから、より人間の形状に近い。このため水難救助訓練を、より実際の場合に近い状態で実施することが可能となる。
また実施例２に係る水難救助用訓練人形２００の使用方法についても、実施例１に係る水難救助用訓練人形１００の場合と同様である。
【実施例３】
【００６０】
［水難救助用訓練人形の構成について］
実施例１の場合は、前記水難救助用訓練人形１００の内部全体が一つの独立格納部を形成している。同様に実施例２の場合も、前記水難救助用訓練人形２００の内部全体が一つの独立格納部を形成している。
このため実施例１および２のそれぞれの前記水難救助用訓練人形１００，２００の一部に損傷が生じた場合には、その損傷部から前記水難救助用訓練人形１００，２００内部の水が、前記水難救助用訓練人形１００，２００を救助者が抱えたときに排出することが考えられる。この場合には被救助者を救出中に前記水難救助用訓練人形１００，２００が軽くなるため、水難救助訓練の臨場感が損なわれることになる。
【００６１】
図１２は、実施例３に係る水難救助用訓練人形を説明するための模式正面図である。
実施例３に係る水難救助用訓練人形３００は、実施例１に係る水難救助用訓練人形１００の変形例である。
実施例３に係る水難救助用訓練人形３００の場合は、胴体部２と頭部３との間が密閉閉塞されている。胴体部２と頭部３との間を密閉閉塞するためには、例えば、加熱された金型を用いて、胴体部２と頭部３との間を溶融圧着させる方法等が挙げられる。
同様に、胴体部２と右腕部４との間、胴体部２と左腕部５との間、胴体部２と右足部６との間、ならびに胴体部２と左足部７との間もそれぞれ密閉閉塞されている。
【００６２】
実施例３に係る水難救助用訓練人形３００は、前記胴体部２、前記頭部３、前記右腕部４、前記左腕部５、前記右足部６および前記左足部７がそれぞれ独立格納部３０２〜３０７を形成している。
またそれぞれの独立格納部３０２〜３０７には、注排水孔１１０が設置されている。
このため、それぞれの前記注排水孔１１０を通して、それぞれの独立格納部３０２〜３０７に水と空気の少なくとも一方を保持することができる。それぞれの独立格納部３０２〜３０７に水と空気の少なくとも一方を密閉保持するためには、先に説明した密閉栓１２０により、それぞれの前記注排水孔１１０を密閉すればよい。
【００６３】
実施例３に係る水難救助用訓練人形３００の場合は、前記胴体部２、前記頭部３、前記右腕部４、前記左腕部５、前記右足部６および前記左足部７がそれぞれ独立格納部３０２〜３０７を形成している。このため実施例３に係る水難救助用訓練人形３００の一部に破損が生じた場合でもその影響は一部の独立格納部にしか及ばない。このことから実施例３に係る水難救助用訓練人形３００に訓練途中で損傷が生じた場合でも、水難救助訓練を続行することが可能である。
また実施例３に係る水難救助用訓練人形３００の使用方法についても、実施例１に係る水難救助用訓練人形１００の場合と同様である。
【００６４】
実施例２に係る水難救助用訓練人形２００についても、実施例３に係る水難救助用訓練人形３００の場合と同様に、各部位に独立格納部を設けて使用することができる。
【実施例４】
【００６５】
［水難救助用訓練人形の構成について］
実施例１〜３の場合は、前記水難救助用訓練人形１００，２００，３００のそれぞれは、胴体部から頭部等を分離することができなかった。
これに対して実施例４に係る水難救助用訓練人形４００は、胴体部４２０、頭部４３０、右腕部４４０、左腕部４５０、右足部４６０および左足部４７０がそれぞれ独立格納部４０２，４０３，４０４，４０５，４０６および４０７を形成している。
そして実施例４に係る水難救助用訓練人形４００は、前記胴体部４２０に対して、前記頭部４３０、右腕部４４０、左腕部４５０、右足部４６０および左足部４７０がそれぞれ着脱自在に連結されている。
【００６６】
また前記独立格納部４０２，４０３，４０４，４０５，４０６および４０７にはそれぞれ注排水孔１１０が設置されている。
このため、それぞれの前記注排水孔１１０を通して、それぞれの独立格納部４０２，４０３，４０４，４０５，４０６および４０７に水と空気の少なくとも一方を保持することができる。それぞれの独立格納部独立格納部４０２，４０３，４０４，４０５，４０６および４０７水と空気の少なくとも一方を密閉保持するためには、先に説明した密閉栓１２０により、それぞれの前記注排水孔１１０を密閉すればよい。
【００６７】
図１３は、実施例４に使用する胴体部４２０の模式分解斜視図である。また図１４は、実施例４に使用する胴体部４２０の模式斜視図である。
前記胴体前面部４２１，前記胴体後面部４２２および前記胴体側面部４２３はそれぞれ可撓性不透水シート１により形成されている。
図１２に示される胴体前面部４２１，胴体後面部４２２および胴体側面部４２３をそれぞれ合成繊維糸を使用して縫合する。
また前記胴体側面部４２３の上部中央には、実施例１に使用したものと同じ注排水孔１１０が設置されていて、密閉栓１２０により開閉自在に閉塞することができる。
【００６８】
続いて前記胴体部４２０の縫合部を、可撓性不透水シートテープ１ｃにより接着剤を用いて接着することにより、前記胴体部４２０の内部を独立格納部４０２とすることができる。
前記独立格納部４０２の内部に、水および空気の少なくとも一方を密閉保持することが可能である。
【００６９】
また前記胴体部４２０上端中央部には、図１４に示されるように、複数の繊維テープ４２４が貼付されていて、前記繊維テープ４２４のそれぞれには接続具４２５が設置されている。
同様に、前記胴体部４２０の右側上部、左側上部、右側下部および左側下部のそれぞれに複数の繊維テープ４２４が貼付されていて、前記繊維テープ４２４のそれぞれには接続具４２５が設置されている。
【００７０】
図１５は、実施例４に使用する頭部４３０の模式斜視図である。
複数の頭部形成片４３１はそれぞれ可撓性不透水シート１により形成されている。
複数の頭部形成片４３１をそれぞれ合成繊維糸を使用して縫合する。
また前記頭部４３０の下部中央には実施例１の場合と同様に注排水孔１１０が設置されていて、密閉栓１２０により開閉自在に閉塞することができる。
【００７１】
続いて前記頭部４３０の縫合部を、可撓性不透水シートテープ１ｃにより接着剤を用いて接着することにより、前記頭部４３０の内部を独立格納部４０３とすることができる。
前記独立格納部４０３の内部に、水および空気を密閉保持することが可能である。
【００７２】
また前記頭部４３０下端中央部には、図１５に示されるように、複数の繊維テープ４３４が貼付されていて、前記繊維テープ４３４のそれぞれには接続具４３６が設置されている。
【００７３】
図１６は、実施例４に使用する右腕部４４０の模式図である。また図１７は実施例４に係る水難救助用訓練人形を説明するための模式正面図である。
図１６に示されるように、長方形の可撓性不透水シート１を丸めて筒状とし、両端部４４１，４４１同士を重ねて合成繊維糸を使用して縫合することにより右腕本体部４４２が得られる。
前記右腕本体部４４２は上端開口部４４３と下端開口部４４４を備えている。前記下端開口部４４４の大きさは、前記上端開口部４４３の大きさと比較して小さくなっていて、概略ではあるが人間の腕を模した形状となっている。
【００７４】
また上端部材４４５と下端部材４４６とをそれぞれ前記右腕本体部４４２の上端開口部４４３と下端開口部４４４とに合成繊維糸を使用して縫合する。
また前記右腕部４４０の上部中央には実施例１の場合と同様に注排水孔１１０が設置されていて、密閉栓１２０により開閉自在に閉塞することができる。
【００７５】
続いて前記右腕部４４０の縫合部を、可撓性不透水シートテープ１ｃにより接着剤を用いて接着することにより、前記右腕部４４０の内部を独立格納部４０４とすることができる。
前記独立格納部４０４の内部に、水および空気の少なくとも一方を密閉保持することが可能である。
【００７６】
また前記右腕部４４０上部側面部には、図１７に示されるように、複数の繊維テープ４４７が貼付されていて、前記繊維テープ４４７のそれぞれには接続具４４８が設置されている。
【００７７】
また図１７に示す通り、前記右腕部４４０の肘の関節部分に該当する中央部と前記右腕部４４０の手首の関節部分に該当する端部には繊維テープ４４９，４４９の一端がそれぞれ接着剤により設置されている。
繊維テープ４４９，４４９は面ファスナーによりそれぞれ形成されていて、前記繊維テープ４４９を前記右腕部４４０の外周に沿って周回させて前記繊維テープ４４９の先端裏面を前記繊維テープ４４９の表面に接触させることにより、着脱可能に前記繊維テープ４４９の先端裏面を前記繊維テープ４４９の表面に固定することができる。
【００７８】
前記左腕部４５０、前記右足部４６０および前記左足部４７０についても、前記右腕部４４０と全く同様の方法により、それぞれ独立格納部４０５，４０６および４０７を形成することができる。
【００７９】
次に前記胴体部４２０の上端中央部に複数設置された接続具４２５と、前記頭部４３０の下端中央部に複数設置された接続具４３６とをそれぞれ連結する。
同様に、前記胴体部４２０の右側上部に複数設置された接続具４２５と、前記右腕部４４０の上部側面部に複数設置された接続具４４８とをそれぞれ連結する。
同様に、前記胴体部４２０の左側上部に複数設置された接続具４２５と、前記左腕部４５０の上部側面部に複数設置された接続具４５６とをそれぞれ連結する。
同様に、前記胴体部４２０の右側下部に複数設置された接続具４２５と、前記右足部４６０の上部側面部に複数設置された接続具４６６とをそれぞれ連結する。
同様に、前記胴体部４２０の右側下部に複数設置された接続具４２５と、前記左足部４７０の上部側面部に複数設置された接続具４７６とをそれぞれ連結する。
この操作により、図１７に示すように、実施例４に係る水難救助用訓練人形４００を得ることができる。
本発明に使用する接続具は、互いに組み合わせて着脱自在に連結できるものであれば特に限定はなく、市販品等を選択して使用することができる。
【００８０】
［水難救助用訓練人形の使用方法について］
実施例４に係る水難救助用訓練人形２００の使用方法についても、実施例１に係る水難救助用訓練人形１００の場合と同様である。
実施例４に係る水難救助用訓練人形４００の場合は、前記胴体部４２０、前記頭部４３０、前記右腕部４４０、前記左腕部４５０、前記右足部４６０および前記左足部４７０のそれぞれが、独立格納部４０２，４０３，４０４，４０５，４０６および４０７を形成している。
【００８１】
また各独立格納部４０２，４０３，４０４，４０５，４０６および４０７にはそれぞれ前記注排水孔１１０が設置されていて、各注排水孔１１０には前記密閉栓１２０が着脱可能に設置されている。
【００８２】
このため各独立格納部４０２，４０３，４０４，４０５，４０６および４０７には、水および空気の少なくとも一方を充填することが可能である。
【００８３】
図１８は、水中における前記水難救助用訓練人形４００の実施形態を説明するための模式図である。
図１８（ａ）〜（ｃ）に示すように、水中５００では、各独立格納部４０２，４０３，４０４，４０５，４０６および４０７内部の水および空気の充填量を調整することにより、水面に浮いた状態（図１８（ａ））、水中で腕部のみが浮いた状態（図１８（ｂ））、水中で足部のみが浮いた状態（図８（ｃ））等のように、様々な形態により前記水難救助用訓練人形４００を浮かせることができる。
【００８４】
また各独立格納部４０２，４０３，４０４，４０５，４０６および４０７に空気を入れず水のみを充填した場合には、前記水難救助用訓練人形４００の浮力を失わせてプール、湖、川、海等の底等に前記水難救助用訓練人形４００を水没させることもできる。
【００８５】
本発明に係る水難救助用訓練人形は様々な実施形態により水面に浮上させ、または沈下させることができるから、より実際の場合に近い訓練を実施することができる。
【符号の説明】
【００８６】
１, １ａ    可撓性不透水シート
１ｂ    可撓性不透水シート片
１ｃ    可撓性不透水シートテープ
２，２０，４２０    胴体部
３，３０，４３０    頭部
４，４０，４４０    右腕部
５，５０，４５０    左腕部
６，６０，４６０    右足部
７，７０，４７０    左足部
１０    可撓性不透水シートの外周端面
２１，８１    筒状の可撓性不透水シート
２２，３２    開口部
２５    上部中央孔
２６    上部右孔
２７    上部左孔
２８    下部右孔
２９    下部左孔
３１    曲面部
４１    有底円筒
４２    上端開放部
４３，８３    切断部
４４    接続部
８０    頭部接続材
８２    両端開放部
８４    接続部
１００，２００，３００，４００    水難救助用訓練人形
１０１    格納部
１１０    注排水孔
１１１    ねじ山
１１２    固定板
１１３    筒部
１１４    先端
１２０    密閉栓
１２１    ねじ溝
１２２    リング材
１３０    連結材
３０２，３０３，３０４，３０５，３０６，３０７，４０２，４０３，４０４，４０５，４０６，４０７    独立格納部
４２１    胴体前面部
４２２    胴体後面部
４２３    胴体側面部
４２４，４３４，４４７，４４９    繊維テープ
４２５，４３６，４４８，４５６，４６６，４７６    接続具
４３１    頭部形成片
４４１    両端部
４４２    右腕本体部
４４３    上端開口部
４４４    下端開口部
４４９    繊維テープ
５００    水中
【図１】
2015006860.tif 000003
【図２】
2015006860.tif 000004
【図３】
2015006860.tif 000005
【図４】
2015006860.tif 000006
【図５】
2015006860.tif 000007
【図６】
2015006860.tif 000008
【図７】
2015006860.tif 000009
【図８】
2015006860.tif 000010
【図９】
2015006860.tif 000011
【図１０】
2015006860.tif 000012
【図１１】
2015006860.tif 000013
【図１２】
2015006860.tif 000014
【図１３】
2015006860.tif 000015
【図１４】
2015006860.tif 000016
【図１５】
2015006860.tif 000017
【図１６】
2015006860.tif 000018
【図１７】
2015006860.tif 000019
【図１８】
2015006860.tif 000020